(57)【特許請求の範囲】
【請求項１】
電線束を構成する複数の電線をばらけた状態にした前記電線束を互いに開閉可能な複数の成形型の間に配置した状態で該成形型から止水材を吐出することで各電線の外周に液状の止水材を付着させる止水材付着工程と、
該止水材付着工程後、前記止水材が流動性を持つ段階で、前記複数の成形型を型閉じ状態にして前記電線束の前記止水材が付着した部分に外部から圧力を加えることで、前記止水材を前記複数の電線間の隙間に行き渡らせると共に、前記ばらけた状態の電線束を前記複数の成形型により所定の収束形状に成形する加圧工程と、
前記止水材を前記複数の電線間の隙間に行き渡らせた後、該止水材を固化させる固化工程と、
を有することを特徴とするワイヤハーネスの電線束の止水処理方法。
【請求項２】
複数の電線を束ねた電線束の外周に液状の止水材を付着させる止水材付着装置と、
前記電線束の外周に付着した前記止水材が流動性を持つ段階で前記電線束の前記止水材が付着した部分に押し付けられて当該部分に圧力を加え、それにより前記止水材を前記複数の電線間の隙間に行き渡らせる押圧機構と、
を備え、
前記押圧機構が、互いに開閉可能な複数の成形型で構成され、
型開き状態の前記複数の成形型間に配置された前記電線束の外周に向けて前記液状の止水材を吐出する前記止水材付着装置の吐出口が前記複数の成形型に設けられており、
前記複数の成形型の、前記電線束の前記止水材が付着した部分に対する押圧面には、当該電線束の前記止水材が付着した部分を所定形状に成形するための凹部が設けられ、
前記複数の成形型は、前記電線束の外周に付着した前記止水材が前記複数の電線間の隙間に行き渡るように、前記電線束の前記止水材が付着した部分を間に配置した状態で型閉じ状態にされ、これにより前記電線束の前記止水材が付着した部分が成形されることを特徴とするワイヤハーネスの電線束の止水処理装置。
【請求項３】
請求項２に記載のワイヤハーネスの電線束の止水処理装置により止水処理され、前記止水材が前記複数の電線間の隙間に行き渡った前記電線束を備えたことを特徴とするワイヤハーネス。
【発明の詳細な説明】
【技術分野】
【０００１】
本発明は、ワイヤハーネスの電線束の止水処理方法、当該止水処理方法を実施するために使用される止水処理装置、および、当該止水処理装置により止水処理された電線束を備えるワイヤハーネスに関する。
【背景技術】
【０００２】
例えば、自動車のエンジンルームと車室内を仕切るパネルにワイヤハーネスを貫通して配索するような場合、パネルに対するワイヤハーネスの貫通部分にはグロメットが装着される。このグロメットは、パネルの取付孔に嵌め込むことにより、パネルとワイヤハーネスの隙間を封じるものであり、グロメットのワイヤハーネス貫通部には、通常、止水処理が施されている。
【０００３】
特許文献１には、この止水処理方法の一例が記載されている。図５（ａ）〜（ｅ）は、従来のワイヤハーネスの止水処理方法を示す工程説明図である。図６は、ワイヤハーネスをグロメットに装着した状態を示す断面図である。特許文献１の止水処理方法では、まず図５（ａ）に示すように、ワイヤハーネスとなる電線Ｗを束ねた電線束ＷＨを、車両上での配索状態に癖付け成形するための止水部形成治具５００に支持させる。止水部形成治具５００は、電線束ＷＨを支持するために、該止水部形成治具５００上に立設された複数の支持部５０１を備えている。次に、特許文献１の止水処理方法では、支持部５０１に電線束ＷＨが支持されている状態で、該電線束ＷＨの表面に、図５（ｂ）に示すように、止水材塗布ノズル５０５によって、未固化状態の止水材Ｓを塗布する。その後、特許文献１の止水処理方法では、図５（ｃ）に示すように、電線束ＷＨの止水材Ｓを塗布した部分を止水シート５１０でくるむ。
【０００４】
次いで、特許文献１の止水処理方法では、電線束ＷＨを支持部５０１から外した状態にし、止水シート５１０を巻き締めて、電線束ＷＨを円形断面の電線束の形に結束する。さらに、特許文献１の止水処理方法では、図５（ｄ）、（ｅ）に示すように、止水シート５１０の両端にテープ５１２を巻き付けて、電線束ＷＨの断面形状を、図６に示すグロメット６００のワイヤハーネス貫通部６０２に挿通可能な断面形状に整形し、グロメット６００に挿通させる。これにて、止水構造が完成する。なお、６０１はグロメットのパネル嵌合部である。
【０００５】
また、他の止水処理方法として、グロメットに電線束を通した状態で止水材を注入する方法もある。即ち、その方法では、電線束をグロメットのワイヤハーネス貫通部に予め挿通させ、その状態で、ワイヤハーネス貫通部の内部に止水材を充填することにより、グロメットとワイヤハーネスの隙間やワイヤハーネスを構成する電線間の隙間を止水する。
【特許文献１】特開２００５−７１７９０号公報（図４、図５）
【発明の開示】
【発明が解決しようとする課題】
【０００６】
ところで、図５（ａ）〜（ｅ）に示した従来の方法では、外部から止水材Ｓを塗布したあと、その部分を止水シート５１０で巻き締めるだけであるから、止水材Ｓが電線Ｗ間に存在する微細な隙間に十分に行き渡らず、そのために止水処理が不十分になる可能性がある。また、グロメットに電線束を挿通させた後に止水材を充填する方法の場合も、同様な可能性がある。そのため、従来のワイヤハーネス製造方法では、止水処理が十分でない可能性のあるワイヤハーネスが製造され得ることから、ワイヤハーネスの止水状態を確認するテストをしなければならず、ワイヤハーネスの製造効率が下がってしまう問題があった。
【０００７】
本発明は、上述した事情に鑑みてなされたものであり、その目的は、電線間の隙間を確実に封じ、高い止水性能を発揮することができて、ワイヤハーネスの製造効率の向上を図ることのできるワイヤハーネスの電線束の止水処理方法、当該止水処理方法を実施するために使用される止水処理装置、および、当該止水処理装置により止水処理された電線束を備えるワイヤハーネスを提供することにある。
【課題を解決するための手段】
【０００８】
前述した目的を達成するために、本発明に係るワイヤハーネスの電線束の止水処理方法は、下記（１）を特徴としている。
（１）  電線束を構成する複数の電線をばらけた状態にした前記電線束を互いに開閉可能な複数の成形型の間に配置した状態で該成形型から止水材を吐出することで各電線の外周に液状の止水材を付着させる止水材付着工程と、
該止水材付着工程後、前記止水材が流動性を持つ段階で、前記複数の成形型を型閉じ状態にして前記電線束の前記止水材が付着した部分に外部から圧力を加えることで、前記止水材を前記複数の電線間の隙間に行き渡らせると共に、前記ばらけた状態の電線束を前記複数の成形型により所定の収束形状に成形する加圧工程と、
前記止水材を前記複数の電線間の隙間に行き渡らせた後、該止水材を固化させる固化工程と、
を有すること。
【０００９】
上記（１）の止水処理方法によれば、止水材付着工程の後に、止水材が流動性を持つ段階で加圧工程を実施するので、外部からの圧力によって、電線束の外周に付着させた止水材を、電線間の隙間に確実に行き渡らせることができる。従って、電線間の隙間を確実に封じることができ、高い止水性能を発揮することができる。そのため、事後の止水テストを省略することも可能となり、ワイヤハーネスの製造効率の向上を図ることができる。
また、上記止水処理方法によれば、電線束をばらけた状態にしてから止水材付着工程を実施するので、よりムラ無く止水材を各電線の外周に付着させることができ、次の加圧工程を経ることにより、電線間の隙間により確実に止水材を行き渡らせることができる。また、ばらけた状態の電線束を複数の成形型で所定の収束形状に成形するので、グロメット等に収納しやい形にすることができる。
また、上記構成のワイヤハーネスの製造方法によれば、型開き状態の成形型から止水材を電線束に向けて吐出し、その後で、型閉じすることで外部から圧力をかけるので、成形型とは別に、止水材を吐出するための吐出装置を独立して設ける必要がなく、同じ位置での一連の操作により、止水材付着工程から加圧工程までを行なうことができ、生産効率の向上が図れる。
【００１０】
また、上述した目的を達成するために、本発明に係るワイヤハーネスの電線束の止水処理装置は、下記（２）を特徴としている。
（２）  複数の電線を束ねた電線束の外周に液状の止水材を付着させる止水材付着装置と、
前記電線束の外周に付着した前記止水材が流動性を持つ段階で前記電線束の前記止水材が付着した部分に押し付けられて当該部分に圧力を加え、それにより前記止水材を前記複数の電線間の隙間に行き渡らせる押圧機構と、
を備え、
前記押圧機構が、互いに開閉可能な複数の成形型で構成され、
型開き状態の前記複数の成形型間に配置された前記電線束の外周に向けて前記液状の止水材を吐出する前記止水材付着装置の吐出口が前記複数の成形型に設けられており、
前記複数の成形型の、前記電線束の前記止水材が付着した部分に対する押圧面には、当該電線束の前記止水材が付着した部分を所定形状に成形するための凹部が設けられ、
前記複数の成形型は、前記電線束の外周に付着した前記止水材が前記複数の電線間の隙間に行き渡るように、前記電線束の前記止水材が付着した部分を間に配置した状態で型閉じ状態にされ、これにより前記電線束の前記止水材が付着した部分が成形されること。
【００１１】
上記（２）の構成の止水処理装置では、止水材付着装置によって電線束の外周に止水材を付着させ、該止水材が付着した部分に押圧機構によって圧力を加える。このとき、押圧機構が、電線束の外周に付着した止水材が流動性を持つ段階で圧力を加えるため、電線束に付着した止水材が圧力によって、電線間の隙間に入り込むため、電線間の隙間を確実に封じることができて、高い止水性能を発揮することができる。また、事後の止水テストを省略することが可能となり、ワイヤハーネスの製造効率の向上を図ることができる。
また、上記の構成の止水処理装置によれば、押圧機構を構成する成形型自体に、止水材の吐出口が設けられている。こうすれば、複数の成形型を開いた状態で、該複数の成形型間に配置された電線束に向けて吐出口から止水材を吐出し、その後、型閉じすることにより、外部から圧力をかけることができる。つまり、同一の型を使用し、同じ位置での一連の操作により、止水材付着工程から加圧工程までを行なうことができ、生産効率の向上を図ることができる。
また、上記構成の止水処理装置によれば、複数の成形型の押圧面に電線束の止水材が付着した部分を所定形状に成形するための凹部が設けられているので、電線束に圧力を加えることで電線束の止水材が付着した部分を凹部により所定形状に成形することができる。
【００１２】
また、上述した目的を達成するために、本発明に係るワイヤハーネスは、下記（３）を特徴としている。
（３）  上記（２）のワイヤハーネスの電線束の止水処理装置により止水処理され、前記止水材が前記複数の電線間の隙間に行き渡った前記電線束を備えたこと。
【００１３】
上記（３）の構成のワイヤハーネスによれば、その止水処理部分において電線間の隙間が確実に封じられており、高い止水性能を発揮することができる。そのため、事後の止水テストを省略することも可能となり、製造効率の向上が図られたワイヤハーネスを提供することができる。
【発明の効果】
【００１４】
本発明によれば、止水処理部分での電線間の隙間を確実に封じることができ、高い止水性能を発揮することができる。従って、事後の止水テストを省略することも可能であり、ワイヤハーネスの製造効率の向上を図ることができる。
【００１５】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１６】
以下、本発明に係る好適な実施形態を図面に基づいて詳細に説明する。
【００１７】
＜第１実施形態＞
図１（ａ）〜（ｃ）および図２（ａ）〜（ｄ）は、本発明にかかる止水処理方法および止水処理装置の第１実施形態の説明図であって、図１（ａ）〜（ｃ）はその工程を説明するための概略斜視図（システムブロックを含む。）、そして図２（ａ）〜（ｄ）は同様の工程を説明するための正面図である。
【００１８】
図１（ａ）〜（ｃ）および図２（ａ）〜（ｄ）において、符号１０で示すものは、止水処理装置を構成する一対の成形型である。これら一対の成形型１０は、押圧面１０ａ間を開閉可能に構成されている。より詳細には、一対の成形型１０は、駆動機構７０により型開き状態あるいは型閉じ状態となるように駆動される。また、当該駆動機構７０を制御して一対の成形型１０を型開き状態あるいは型閉じ状態にする制御機構８０も設けられている。
【００１９】
各成形型１０の互いに対向する押圧面１０ａには、電線束ＷＨの成形形状を決めるための断面矩形の凹部１１が設けられており、その各内面には、成形型１０間に配置された電線束ＷＨに向けて止水材Ｓを吐出する適当数の吐出口１２が設けられている。これら吐出口１２は、電線束ＷＨの外周に液状の止水材Ｓを付着させる止水材付着装置を構成する。
【００２０】
制御機構８０は、止水材Ｓの吐出制御と成形型１０の開閉制御とを行なう。開閉制御としては、止水材Ｓの吐出後に駆動機構７０を制御して成形型１０を閉じ、その所定時間経過後に成形型１０を開く。一対の成形型１０は、型閉じ状態になることで、成形型１０間に配置された電線束ＷＨに押圧力を及ぼし、それにより、凹部１１内に充満した止水材Ｓに外部から圧力を加えて、止水材Ｓを電線Ｗ間の隙間に行き渡らせる。このように、成形型１０は、押圧機構を構成している。
【００２１】
成形型１０に設けられた凹部１１の形状は断面矩形に特に限定されず、電線束ＷＨを保持し、吐出口１２から吐出された止水材Ｓを内部に充満させることができる範囲で適宜変更可能である。例えば、複数の成形型１０それぞれを型閉じ状態したときに、各成形型１０の凹部１１によって区画される形状が、断面視で円形や楕円形であってもよい。
【００２２】
止水材Ｓとしては、経時硬化性や熱可塑性の止水材を用いることができる。この場合の止水材は、成形時及び成形後に自然放置されることで固化（硬化）する。また、他の止水材として、加熱溶融性の止水材を用いてもよい。加熱溶融性の止水材は、加熱されることで溶融し液状になったときに止水材付着工程で用いられ、成形時及び成形後に常温で再び固化（硬化）する。
【００２３】
次に、上記構成の止水処理装置を用いて行なうワイヤハーネスの電線束の止水処理方法について説明する。
一般に、ワイヤハーネスを組み立てる場合、例えば、作業員が所定の組立作業台上に、設計図等を参照しながら、複数本の電線を取り付けていき、これらを所定形状に配索していく。更に作業員は、例えば、電線の所定箇所にプロテクタや樹脂チューブあるいはクリップ等の部品を組み付けたり、テープを巻き付けたりして、所定形状のワイヤハーネスを形成していく。
【００２４】
このワイヤハーネスの電線束に対してさらに止水処理を施す止水処理方法の手順を以下に説明する。
まず、電線束ＷＨを構成する複数の電線Ｗを適度にばらけた状態にして、図１（ａ）に示すように、開放状態にした一対の成形型１０の押圧面１０ａ間に配置する。ここで、一対の成形型１０によって複数の電線Ｗを適度にばらけた状態にしてもよく、または、別途整列冶具等を用いて複数の電線Ｗをばらけた状態にしてもよい。このように複数の電線Ｗを適度にばらけた状態にしておくことで、後工程で吐出される止水材Ｓが、電線Ｗ間の隙間により行き渡りやすくなる。次に、図２（ａ）、（ｂ）に示すように、成形型１０の吐出口１２から液状の止水材Ｓが吐出されることにより、電線束ＷＨの外周に止水材Ｓが付着する（止水材付着工程）。
【００２５】
次に、引き続いて、付着させた止水材Ｓが流動性を持つ段階で、図１（ｂ）および図２（ｃ）に示すように、成形型１０を閉じる。このとき、型閉じ状態の成形型１０が電線束ＷＨに押し付けられるので、止水材Ｓを付着させた部分に外部から矢印Ｆ１のように圧力が作用し、これにより止水材Ｓが電線Ｗ間の隙間に行き渡る（加圧工程）。止水材Ｓを電線Ｗ間の隙間に行き渡らせた後、止水材Ｓを固化させる（固化工程）。固化工程はその一部又は全部を、加圧工程中に同時に行なってもよい。止水材Ｓとして経時硬化性や熱可塑性の止水材を用いる場合には、自然放置することで固化するため、加圧工程と同時に固化工程も実行することができる。また、加熱溶融性の止水材を固化させる場合には、加圧工程後に常温で固化する工程を行なってもよい。こうすることで、ばらけた状態の電線束ＷＨを成形型１０により所定の収束形状に成形する。成形したら、図２（ｄ）の矢印Ｆ２で示すように、成形型１０を開き、中の電線束ＷＨを取り出す。これにより、図１（ｃ）に示すように、止水処理部ＳＨを有するワイヤハーネスが出来上がる。ここで、止水材Ｓが流動性を持つ段階とは、止水材Ｓが液状のままの状態、または、止水材Ｓが一部固化しているものの、押圧機構から受ける圧力によって変形可能な状態である段階を意味する。
【００２６】
以上のように、本実施形態では、止水材付着工程の後に、止水材Ｓが流動性を持つ段階で加圧工程を実施するので、外部からの圧力によって、電線束ＷＨの外周に付着させた止水材を、電線Ｗ間の隙間に確実に行き渡らせることができる。従って、電線Ｗ間の隙間を確実に封じることができ、高い止水性能を発揮することができる。そのため、事後の止水テストを省略することも可能となり、ワイヤハーネスの製造効率の向上を図ることができる。
【００２７】
特に、本実施形態では、電線束ＷＨをばらけた状態にしてから止水材付着工程を実施するので、よりムラ無く止水材Ｓを各電線Ｗの外周に付着させることができ、次の加圧工程を経ることにより、電線Ｗ間の隙間により確実に止水材Ｓを行き渡らせることができる。また、ばらけた状態の電線束ＷＨを成形型１０の凹部１１で所定の収束形状に成形するので、グロメット等に収納しやい形にすることができる。
【００２８】
また、本実施形態では、開いた状態の成形型１０の吐出口１２から止水材Ｓを電線束ＷＨに向けて吐出し、その後、成形型１０を閉じることで外部から圧力をかけるので、同じ位置での一連の操作により、止水材付着工程から加圧工程までを行なうことができ、生産効率の向上が図れる。
【００２９】
＜第２実施形態＞
図３（ａ）〜（ｄ）は、本発明にかかる止水処理方法および止水処理装置の第２実施形態を説明するための図である。なお、以下に説明する実施形態において、すでに説明した部材などと同等な構成・作用を有する部材等については、図中に同一符号又は相当符号を付すことにより、説明を簡略化或いは省略する。
【００３０】
上記第１実施形態では、押圧面に凹部１１を設けた成形型１０を使用した場合を示したが、図３（ａ）〜（ｄ）に示す第２実施形態のように、凹部を有しない成形型１１０を用いて止水材付着工程や加圧工程を実施してもよい。
【００３１】
本実施形態の止水処理装置は、互いに開閉可能な一対の成形型１１０を備え、一対の成形型１１０の互いに対向する押圧面１１０ａ同士が、型閉じ状態の際に近づき、型開き状態で互いに離間するように、図示しない制御機構により制御される図示しない駆動機構によって駆動される。
【００３２】
本実施形態の止水処理装置を用いた止水処理方法の手順を以下に説明する。
先ず、図３（ａ）に示すように、型開き状態の一対の成形型１１０の押圧面１１０ａ間に電線束ＷＨを配置し、成形型１１０の吐出口１１２から液状の止水材Ｓを吐出し、図３（ｂ）に示すように電線束ＷＨの外周に止水材Ｓを付着させる（止水材付着工程）。
【００３３】
次に、付着させた止水材Ｓが流動性を持つ段階で、図３（ｃ）に示すように、成形型１１０を閉じる。そして、電線束ＷＨに一対の成形型１１０の押圧面１１０ａを互いの面が略平行となる状態で押し付け、止水材Ｓを付着させた部分に外部から矢印Ｆ１のように圧力を作用させる。こうするとこで、押圧面１１０ａの圧力によって、電線束ＷＨに付着した止水材Ｓを電線Ｗ間の隙間に行き渡らせる（加圧工程）。その後、止水材Ｓを電線Ｗ間の隙間に行き渡らせた後、止水材を固化させる（固化工程）。なお、固化工程は、加圧工程の間に実行することもできる。加圧工程後、図３（ｄ）の矢印Ｆ２で示す方向に成形型１１０を駆動して型開き状態とし、電線束ＷＨを取り出す。これにより、成形された止水処理部ＳＨを有するワイヤハーネスが出来上がる。
【００３４】
＜第３実施形態＞
図４は、本発明にかかる止水処理方法および止水処理装置の第３実施形態を説明するための図である。
図４に示すように、本実施形態の製造装置は、互いに開閉可能な一対の成形型２１０を備え、一対の成形型２１０の互いに対向する押圧面２１０ａ同士が、型閉じ状態の際に近づき、型開き状態で互いに離間するように、図示しない制御機構により制御される図示しない駆動機構によって駆動され、押圧面２１０ａに断面半円状の凹部２１１が設けられている。一対の成形型２１０を型閉じ状態とすることで、各押圧面２１０ａに設けられた凹部２１１によって、断面視略円形の空間が区画される。このように断面半円状の凹部２１１を有する成形型２１０を用いた場合、電線束ＷＨを断面円形に近い形に成形でき、グロメットのワイヤハーネス貫通部に挿通させるのに都合がよい。
【００３５】
本実施形態の止水処理装置を用いた止水処理方法の手順を以下に説明する。
先ず、型開き状態の一対の成形型２１０の押圧面２１０ａに電線束ＷＨを配置し、成形型２１０の吐出口２１２から液状の止水材Ｓを吐出し、電線束ＷＨの外周に止水材Ｓを付着させる（止水材付着工程）。
【００３６】
次に、付着させた止水材Ｓが流動性を持つ段階で、駆動機構によって一対の成形型２１０をそれぞれ駆動し、型閉じ状態とする。一対の成形型２１０の押圧面２１０ａに設けられた凹部２１１によって、電線束ＷＨの止水材Ｓが付着された部分を押し付け、該止水材Ｓに圧力を作用させる。こうするとこで、電線束ＷＨに付着した止水材Ｓを電線Ｗ間の隙間に行き渡らせる（加圧工程）。止水材Ｓを電線Ｗ間の隙間に行き渡らせた後、止水材を固化させる（固化工程）。なお、固化工程は、加圧工程中に同時に行ってもよい。固化工程後、成形型２１０を駆動して型開き状態とし、電線束ＷＨを取り出す。これにより、断面視略円形となるように成形された止水処理部ＳＨを有するワイヤハーネスが出来上がる。
【００３７】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３８】
押圧機構は、上述したような一対の成形型に限定されず、適宜変更することが可能である。例えば、押圧機構は少なくとも３つの成形型を備えた構成としてもよい。このとき、これら複数の成形型それぞれを型閉じ状態或いは型開き状態にするように駆動機構で駆動する。
【００３９】
また、他の押圧機構として、空気を充填することで外形を膨張させることができる膨張体を例として挙げることができる。このような膨張体としては、例えば、血圧計における人体の腕に巻きつけ、空気を送り込むことで膨張させることができる袋状のベルトと同じ構成とすることができる。膨張体を電線束ＷＨの止水材Ｓが付着した部分の外周に装着させ、成形する際に、空気を送り込むことで、膨張体から電線束ＷＨにおける止水材Ｓが付着した部分に圧力を加えることで、止水材Ｓを複数の電線Ｗ間の隙間に行き渡らせることができる。
【図面の簡単な説明】
【００４０】
【図１】（ａ）〜（ｃ）は、本発明にかかる止水処理方法および止水処理装置の第１実施形態の説明図であって、止水処理の工程それぞれを説明するための概略斜視図である。
【図２】（ａ）〜（ｄ）は、本発明にかかる止水処理方法および止水処理装置の第１実施形態の説明図であって、図１（ａ）〜（ｃ）と同様に止水処理の工程それぞれを説明するための正面図である。
【図３】（ａ）〜（ｄ）は、本発明にかかる止水処理方法および止水処理装置の第２実施形態の説明図であって、止水処理の工程それぞれを説明するための正面図である。
【図４】本発明にかかる止水処理方法および止水処理装置の第３実施形態の説明用の正面図である。
【図５】（ａ）〜（ｅ）は従来のワイヤハーネスの止水処理方法の工程説明図である。
【図６】図５の止水処理方法により処理したワイヤハーネスをグロメットに装着した状態を示す断面図である。
【符号の説明】
【００４１】
Ｗ  電線
ＷＨ  電線束
Ｓ  止水材
１０，１１０，２１０  金型
１０ａ，１１０ａ，２１０ａ  押圧面
１１，２１１  凹部
１２，１１２，２１２  吐出口
【図１】
0005348736.tif 000002
【図２】
0005348736.tif 000003
【図３】
0005348736.tif 000004
【図４】
0005348736.tif 000005
【図５】
0005348736.tif 000006
【図６】
0005348736.tif 000007